(57)【要約】【課題】力増幅機構を介して把持部を締め付け、かつ締め付け状態を維持できる刺股型の逮捕用具を提供すること。【解決手段】被逮捕者と十分な距離を維持できる程度の長さを備えた柄体１とハンドル２と、柄体１に固定された基部３と、基部３に回動可能にかつ相互が噛み合うように設けられ、一方がハンドル２の先端に固定されてハンドル２に回動される２つの大歯車５、５’と、基部３に回動可能に、かつ２つの大歯車５、５’にそれぞれ係合する２つの小歯車６、６’と、小歯車６、６’のそれぞれに固定され先端側で交差する２本のキャッチ部４、４’と、大歯車５に形成されてキャッチ部４、４’が拡開方向への移動を阻止するラッチ機構７、８とを備える。【選択図】図１
2006071120.tif 000002
【特許請求の範囲】
【請求項１】
被逮捕者と十分な距離を維持できる程度の長さを備えた柄体とハンドルと、前記柄体に固定された基部と、前記基部に回動可能にかつ相互が噛み合うように設けられ、一方が前記ハンドルの先端に固定されて前記ハンドルに回動される２つの大歯車と、前記基部に回動可能に、かつ２つの前記大歯車にそれぞれ係合する２つの小歯車と、前記小歯車のそれぞれに固定され先端側で交差する２本のキャッチ部と、前記大歯車、または小歯車のいずれかに形成され、前記キャッチ部が拡開方向への移動を阻止するラッチ機構とからなる刺股型逮捕用具。
【請求項２】
前記基部またはキャッチ部との間に一定の間隙を形成するように帯状体が前記キャッチ部の先端部に固定されている請求項１に記載の刺股型逮捕用具。
【発明の詳細な説明】
【技術分野】
【０００１】
本発明は、刃物を所持した犯罪者を確実に取り押さえるための刺股型の逮捕用具に関する。
【背景技術】
【０００２】
犯罪者が刃物を所持している場合にはいわゆる刺股型の逮捕用具を用いて、刃物が届かない距離を保持しつつ犯罪者の首や胴などを押さえつけて逮捕することが行われている。
しかし、犯罪者は、２、３歩ほど逮捕用具から後退すれば簡単に逃げることができ、また逆に犯罪者に逮捕用具を奪われて逆襲される危険性もある。
【０００３】
このような問題を解決するために特許文献１に見られるように、本体フレームの手前側に取り付けられた長竿と、本体フレームの先端側の長竿の延長線に沿って摺動自在となるように本体フレームに取り付けられた摺動体と、それぞれ根元部が摺動体に回転自在に取り付けられた左半環状体および右半環状体と、摺動体の摺動運動に連動して左半環状体および右半環状体の相対位置関係を変化させる連動機構と、を設け、摺動体が先端側に位置するときには、左半環状体および右半環状体の先端部の間を被捕縛体が自由に通れるような開放状態が形成され、摺動体が手前側に位置するときには、左半環状体および右半環状体の先端部の間を被捕縛体が自由に通れないような閉鎖状態が形成されるように構成したものが提案されている。
【特許文献１】特開2000-230800号公報
【発明の開示】
【発明が解決しようとする課題】
【０００４】
これによれば、摺動体の移動により犯罪者を締め付けた状態を保持できるため、犯罪者の自由を奪うことができるという効果がある。
しかしながら、長竿の長手方向への摺動体を移動させることにより閉鎖状態を形成する関係上、摺動体の移動には大きな力を要するという問題がある。
本発明はこのような問題に鑑みてなされたものであって、その目的とするところは力増幅機構を介して把持部を締め付け、かつ締め付け状態を維持できる刺股型の逮捕用具を提供することである。
【課題を解決するための手段】
【０００５】
このような課題を達成するために請求項１の発明は、被逮捕者と十分な距離を維持できる程度の長さを備えた柄体とハンドルと、前記柄体に固定された基部と、前記基部に回動可能にかつ相互が噛み合うように設けられ、一方が前記ハンドルの先端に固定されて前記ハンドルに回動される２つの大歯車と、前記基部に回動可能に、かつ２つの前記大歯車にそれぞれ係合する２つの小歯車６、６’と、前記小歯車のそれぞれに固定され先端側で交差する２本のキャッチ部と、前記大歯車、または小歯車のいずれかに形成され、前記キャッチ部が拡開方向への移動を阻止するラッチ機構とを備える。
【０００６】
また請求項２の発明は、前記基部またはキャッチ部との間に一定の間隙を形成するように帯状体が前記キャッチ部の先端部に固定されている。
【発明の効果】
【０００７】
請求項１の発明によれば、ハンドルを拡開させることにより増幅された力でキャッチ部を締め付けることができ、同時にラッチ機構によりキャッチ部の拡開を阻止できる。
【０００８】
請求項２の発明によれば、基部が直接衝突することによる被逮捕者へのダメージを帯状体により緩衝しつつ、キャッチ部を締め付け方向に移動させることができる。
【発明を実施するための最良の形態】
【０００９】
図１は本発明の刺股型の逮捕用具の一実施例を示すものであって、被逮捕者と十分な距離を維持できる程度の長さを備えた柄体１とハンドル２と、基部３と、被逮捕者の身体、またはその一部の部位を把持する２本のキャッチ部４、４’とを備え、柄体１の先端側は基部３に固定されている。
【００１０】
基部３には２つの大歯車５、５’が互いに噛み合うように回動自在に取り付けられ、また大歯車５、５’のそれぞれに噛み合うように２つの小歯車６、６’が先端側に回動可能に取り付けられている。
【００１１】
一方の大歯車５’は、ハンドル２の先端が固定されていて、ハンドル２の回動により２つの大歯車５、５’を回動させることが可能なようになっている。
【００１２】
また、２本のキャッチ部４、４’は、交差するように配置され、それぞれの後端側が小歯車６、６’に固定されている。
【００１３】
少なくともひとつの歯車、この実施例では大歯車５には同軸状にラッチ歯車７が固定され、図示しない上部側の基部にラッチ歯車７に常時当接するように爪８が設けられている。爪８は、柄体１の後端側に延びるワイヤ９が接続されていて後端に設けられた解除レバー１０を矢印Ａの方向に引くことにより爪８の係合を解除できるように構成されている。
なお、これら歯車類を収容した領域は、好ましくは図２に示したようにカバー３ａにより封止しておくのが望ましい。
【００１４】
この実施例において、使用に先立って解除レバー１０を引いて爪８をラッチ歯車７から離間させてハンドル２を柄体１の側に引き寄せおく。これによりキャッチ部４、４’が被逮捕者を把持できる程度の間隔となる。
【００１５】
この状態でキャッチ部４、４’に被逮捕者の一部が進入した時点でハンドル２を図中矢印Ｂの方向に回動させて開くと、ハンドル２に固定された大歯車５’、及びこれに噛み合う大歯車５、さらにはこれら大歯車５、５’に噛み合う小歯車６、６’が図中矢印Ｃ、Ｃ’方向に回動する。これにより、小歯車６、６’に固定されているキャッチ部４、４’が先端の間隔を狭める方向に回動する。
【００１６】
もとより柄体１、及びハンドル２の長さはキャッチ部４、４’の長さよりも十分に長いため、力が数倍に増幅されて婦女子でも被逮捕者の力に容易に打ち勝つことができる。また、キャッチ部４、４’の拡開方向に対してはラッチ歯車７と爪８とで構成されたラッチ機構が機能するため、キャッチ部４、４’は締め付け状態を維持する。
【００１７】
この状態でも被逮捕者が暴れるようならハンドル２を矢印Ｂ方向に拡開操作して締め付け力を増すと、被逮捕者はその痛みに耐えかねておとなしくなる。
【００１８】
図２は、キャッチ部の他の実施例を示すものであって、図３に示したように可撓性材料、例えば皮革により構成された帯状体１１の両端の両側を縫合して袋状部１２を形成し、袋状部１２、１２をキャッチ部４、４’の先端に装着するように構成されている。なお、帯状体１１は、キャッチ部４、４’が拡開されている状態では基部１との間で所定のギャップを形成するようその長さが調整されている。
【００１９】
この実施例によれば、キャッチ部４、４’を開いた状態でキャッチ部４、４’の間に被逮捕者を押し付けると、帯状体１１が被逮捕者により基部１に引っ張られるため、キャッチ部４、４’の先端が中心方向に自動的に閉まり、またキャッチ部４、４’や基部１が被逮捕者に直接衝突することによるダメージを最小限に抑えることができる。
【００２０】
なお、上述の実施例においては大歯車５にラッチ機構を設けたが、他方の大歯車５’、または小歯車６、６’のいずれに設けても同様の作用を奏することは明らかである。
【００２１】
また、上述の実施例においては、歯車類を可及的に小さく、また柄体１の強度を高める観点から柄体１を基体３に取り付けているが、ハンドル２と同様に柄体を大歯車５に取り付けても同様の作用を奏することは明らかである。
【図面の簡単な説明】
【００２２】
【図１】本発明の刺股型逮捕用具の一実施例を示す図である。
【図２】本発明の他の実施例を示す図である。
【図３】キャッチ部の保護具の一実施例を示す図である。
【符号の説明】
【００２３】
１  柄体    ２  ハンドル    ３  基部    ４、４’  キャッチ部    ５、５’大歯車    ６、６’  小歯車    ７  ラッチ歯車    ８  爪    ９  ワイヤ    １０  解除レバー    １１  保護用の帯状体
【図１】
2006071120.tif 000003
【図２】
2006071120.tif 000004
【図３】
2006071120.tif 000005